(57)【要約】【課題】低周波域において、ボイスコイルの振動が周囲の空気により阻害されないスピーカのボイスコイルを提供する。【解決手段】ボイスコイルボビン１３にコイル１４が巻かれ前記コイル１４が磁気回路の磁気ギャップに配置されるスピーカのボイスコイルにおいて、前記ボイスコイルボビン１３の外周面に前記コイル１４の先端縁または後端縁に滑らかに連なる流線形状部１５、１６を設けた。【選択図】図１
2009044584.tif 000002
【特許請求の範囲】
【請求項１】
ボイスコイルボビンにコイルが巻かれ前記コイルが磁気回路の磁気ギャップに配置されるスピーカのボイスコイルにおいて、前記ボイスコイルボビンの外周面に前記コイルの先端縁または後端縁に滑らかに連なる流線形状部を設けたことを特徴とするスピーカのボイスコイル。
【請求項２】
前記ボイスコイルボビンの内周面にディンプルが形成されている請求項１のボイスコイル。
【請求項３】
希土類マグネットを使用した内磁型磁気回路の磁気ギャッブに配置される請求項１または２のボイスコイル。
【発明の詳細な説明】
【技術分野】
【０００１】
この発明はスピーカに係わり、特に、そのボイスコイルの構造に関する。
【背景技術】
【０００２】
従来のスピーカの例を図３〜図４により説明する。図３は従来のスピーカの例を示す断面図、図４は図３におけるＡ部拡大図である。図に示すフレーム１はスピーカの各部材を支持するもので、中央部でねじ１１により磁気回路５を締着し、周縁部で振動板２の周縁をエッジ３を介して接着固定している。
【０００３】
磁気回路５は図４にも詳しく示すように、壺型のヨーク７の底面にベース９、マグネット６、トッププレート８およびスペーサ１０を順次重ねて固着することにより形成されている。マグネット６としてネオジウムマグネットが使用されている。ヨーク７、ベース９およびトッププレート８は磁性体であり、スペーサ１０は非磁性体である。
【０００４】
トッププレート８とヨーク７の間の空隙に磁気ギャップ５ａが形成される。磁気回路５にはマグネット６、トッププレート８、磁気ギャップ５ａ、ヨーク７およびベース９を通る磁気ループが形成され、磁気ギャップ５ａに磁界が生る。そして、コーン形状の振動板２の小径部内周にボイスコイルボピン１３の外周が接着され、振動板２の小径部外周に接着されたダンパー４の外周はフレーム１に接着されている。
【０００５】
このようにボイスコイルボピン１３と振動板２は可撓性のエッジ３およびダンパー４を介してフレーム１に支持されるが、磁気回路５もフレーム１に支持れており、ボイスコイルボピン１３に巻かれたコイル１４が円環状の磁気ギャップ５ａと同心となるようにエッジ３とダンパー４の接着位置が調整されている。
【０００６】
磁界中にあるコイル１４に音声信号電流が供給されると、電磁作用により振動板２が振動して音声信号電流に応じた音声が放射される。このようなボイスコイルボピン１３にコイル１４の巻かれて形成されたボイスコイル１２は２０〜２００００Ｈｚの振動数で振動するが、その振幅は低い周波数で大きくなり、最低共振周波数で最大となる。
【０００７】
ところで、従来の外磁型のスピーカではヨークとマグネット内径の間の空間は比較的広く取ることができるが、上記した磁気回路５のようにボイスコイル内周側にマグネットが配置される内磁型磁気回路を使用したスピーカでは磁気ギャップの間隔は小さくなる。一方、近年軽量、薄型のスピーカの要求は強まり、磁気回路はネオジウムマグネットを使用した内磁型が主流となりつつある。この場合マグネット外径とヨーク内径との寸法差は小さくなり、ボイスコイルは狭い磁気ギャップ内に配置されることになる。
【０００８】
このため、特に振幅の大きい低周波領域で磁気ギャップ内の空気がボイスコイルの振動を阻害することになる。すなわち、空気とボイスコイルとが相対移動するが、従来のボイスコイルでは空気とボイスコイルとが衝突することによる抵抗が大きかった。図５にボイスコイルに対する空気の流れを矢印で表している。図に示すように空気はボイスコイルボビン１３に巻かれたコイル１４と衝突して流れが乱されている。この空気の乱れによる抵抗が大きく、低域で十分な音質が得られなかった。
【０００９】
実開昭６１−１０３９９１号公報に提案された提案されたスピーカの磁気回路では、磁気回路のヨーク底面に空気穴を形成している。この構成によると、ボイスコイルの上下の空気圧力の差を小さくしてボイスコイルの振動を阻害することが防止されるが、ボイスコイルの上下の空気圧力の差は小さく、また、空気圧力の差によるボイスコイルの振動阻害の程度は小さくその効果は限られたものであった。
【特許文献１】実開昭６１−１０３９９１号公報、明細書第４頁、第１図、第２図
【発明の開示】
【発明が解決しようとする課題】
【００１０】
この発明は上記した点に鑑みてなされたものであって、その目的とするところは、低周波域において、ボイスコイルの振動が周囲の空気により阻害されないスピーカのボイスコイルを提供することにある。
【課題を解決するための手段】
【００１１】
この発明のスピーカのボイスコイルは、ボイスコイルボビンにコイルが巻かれ前記コイルが磁気回路の磁気ギャップに配置されるスピーカのボイスコイルにおいて、前記ボイスコイルボビンの外周面に前記コイルの先端縁または後端縁に滑らかに連なる流線形状部を設けたものである。
【００１２】
また、前記スピーカのボイスコイルにおいて、前記ボイスコイルボビンの内周面にディンプルが形成されているものである。
【００１３】
また、前記各スピーカのボイスコイルにおいて、希土類マグネットを使用した内磁型磁気回路の磁気ギャッブに配置されるものである。
【発明の効果】
【００１４】
この発明のスピーカのボイスコイルによれば、ボイスコイルの振動が周囲の空気により阻害されないため、低周波域において、スピーカの発音性能が向上する。
【発明を実施するための最良の形態】
【００１５】
以下この発明を実施するための最良の形態を実施例に即して説明する。図１はこの発明の実施例であるボイスコイルを示す部分断面図、図２は同スピーカにおけるボイススコイル近傍の気流を示す図である。
【００１６】
実施例のボイスコイルはボイスコイルボビン１３の外周にコイル１４が巻かれ、コイル１４の前後に先端流線形状部１５と後端流線形状部１６とがボイスコイルボビン１３に固着された状態で配置されている。先端流線形状部１５と後端流線形状部１６は断面が略三角形でコイル１４に滑らかに連なる形状となっている。なお、先端流線形状部１５と後端流線形状部１６は、ボイスコイルボビン１３と一体に成形されるようにしてもよい。
【００１７】
ボイスコイルボビン１３の内面にはディンプル１３ａ、１３ａ…が多数一様に配置されている。このボイスコイルが図３で説明した従来のスピーカのボイスコイル１２と置き換えられている。他の構成は図３で説明した従来のスピーカのものと同様である。
【００１８】
図２に示すようにボイススコイル先端近傍の気流は先端流線形状部１５からコイル１４表面に沿って滑らかに流れ、衝突による衝撃が発生しない。コイル１４の後端もコイル１４表面から後端流線形状部１６に沿って滑らかに流れコイル１４の後端が真空状態とならない。このため、気流によりボイススコイルの振動が阻害されない。
【００１９】
また、ボイスコイルボビン１３の内面のディンプル１３ａ、１３ａ…はボイスコイルボビン１３内面の気流を乱流状態として層流での大きい粘性抵抗を減じてボイススコイルの振動を抑制する力を小さくする。なお、固体表面を流れる流体が乱流となると、粘性抵抗が減ずることは、ゴルフボールにディンプルを設けたことにより飛距離が大幅に伸びたことで知られている。
【００２０】
このように実施例のボイスコイルでは従来のものと比べ振幅の大きい低周波域で発音機能を高める効果が得られる。
【００２１】
実施例は以上のように構成されているが発明はこれに限られず、例えば、流線形状部をボイスコイルの先端または後端の一方のみに設けてもよい。さらに、ボイスコイルボビンの内面にディンプルを設けなくてもこの発明の効果が得られる。また、ヨーク底面に磁気ギャッブに通じる気孔を設けてもよい。
【図面の簡単な説明】
【００２２】
【図１】この発明の実施例であるボイスコイルを示す部分断面図である。
【図２】同スピーカにおけるボイススコイル近傍の気流を示す部分断面図である。
【図３】従来のスピーカの例を示す断面図である。
【図４】図３におけるＡ部拡大図である。
【図５】同スピーカにおけるボイススコイル近傍の気流を示す図である。
【符号の説明】
【００２３】
１  フレーム
２  振動板
３  エッジ
４  ダンパー
５  磁気回路、５ａ  磁気ギャップ
６  マグネット
７  ヨーク
８  トッププレート
９  ベース
１０  スペーサ
１１  ねじ
１２  ボイスコイル
１３  ボイスコイルボビン、１３ａ  ディンプル
１４  コイル
１５  先端流線形状部
１６  後端流線形状部
【図１】
2009044584.tif 000003
【図２】
2009044584.tif 000004
【図３】
2009044584.tif 000005
【図４】
2009044584.tif 000006
【図５】
2009044584.tif 000007